(57)【要約】【課題】指定されたＡＦエリアを視認することが困難になるという不都合に対処することが可能な撮像装置を提供することを目的とする。【解決手段】撮像装置は、撮像素子内のＡＦエリアにおける画像信号に基づいて合焦制御を行う合焦手段と、撮像素子によって取得される被写体像をライブビュー画像として背面モニタに表示させるとともに、ＡＦエリアの位置を表す位置表示をライブビュー画像に重畳して表示させる表示制御手段と、ＡＦエリアの位置を撮像素子による撮影範囲内の任意の位置に指定することが可能な位置指定モードを有効化するか否かを設定する設定手段と、位置指定モードが有効化されている状況において、背面モニタを用いた第１の構図決め操作から光学ファインダを用いた第２の構図決め操作への切替指令が発せられると、当該切替指令に応答して警告を発する警告手段とを備える。【選択図】図１０
2008152078.tif 000002
【特許請求の範囲】
【請求項１】
撮像装置であって、
被写体像に関する画像を取得する撮像素子と、
前記被写体像を視認可能な光学ファインダと、
前記撮像素子内のＡＦエリアにおける画像信号に基づいて合焦制御を行う合焦手段と、
前記撮像素子によって取得される被写体像に関する時系列の画像を順次に表示部に表示させるとともに、前記ＡＦエリアの位置を表す位置表示を前記時系列の画像に重畳して表示させる表示制御手段と、
前記ＡＦエリアの位置を前記撮像素子による撮影範囲内の任意の位置に指定することが可能な位置指定モードを有効化するか否かを設定する設定手段と、
前記位置指定モードが有効化されている状況において、前記表示部を用いた第１の構図決め操作から前記光学ファインダを用いた第２の構図決め操作への切替指令が発せられると、当該切替指令に応答して警告を発する警告手段と、
を備えることを特徴とする撮像装置。
【請求項２】
請求項１に記載の撮像装置において、
前記警告は、光学ファインダ視野内に出力される警告表示であることを特徴とする撮像装置。
【請求項３】
請求項１に記載の撮像装置において、
前記警告は、前記表示部に出力される警告表示であることを特徴とする撮像装置。
【請求項４】
請求項１に記載の撮像装置において、
前記警告は、前記撮像装置から発せられる警告音であることを特徴とする撮像装置。
【請求項５】
請求項１に記載の撮像装置において、
前記光学ファインダへの接眼を検知する接眼検知手段、
をさらに備え、
前記切替指令は、前記接眼検知手段によって、前記光学ファインダへの接眼が検知されたことに応答して発せられることを特徴とする撮像装置。  
【請求項６】
請求項１に記載の撮像装置において、
前記切替指令は、前記撮像装置の操作部材を用いた指示操作に応答して発せられることを特徴とする撮像装置。  
【請求項７】
撮像装置であって、
被写体像に関する画像を取得する撮像素子と、
前記被写体像を視認可能な光学ファインダと、
前記撮像素子内のＡＦエリアにおける画像信号に基づいて合焦制御を行う合焦手段と、
前記撮像素子によって取得される被写体像に関する時系列の画像を順次に表示部に表示させるとともに、前記ＡＦエリアの位置を表す位置表示を前記時系列の画像に重畳して表示させる表示制御手段と、
前記ＡＦエリアの位置を前記撮像素子による撮影範囲内の任意の位置に指定することが可能な第１のＡＦエリア決定モードと、前記撮影範囲内において前記ＡＦエリアの候補として予め特定された候補領域の少なくとも１つを前記ＡＦエリアとして決定することが可能な第２のＡＦエリア決定モードとのいずれを有効化するかを設定する設定手段と、
前記第１のＡＦエリア決定モードが有効化されている状況において、前記表示部を用いた第１の構図決め操作から前記光学ファインダを用いた第２の構図決め操作への切替指令が発せられると、当該切替指令に応答して、前記第１のＡＦエリア決定モードから前記第２のＡＦエリア決定モードへと遷移させるモード遷移手段と、
を備えることを特徴とする撮像装置。
【請求項８】
請求項７に記載の撮像装置において、
前記光学ファインダへの接眼を検知する接眼検知手段、
をさらに備え、
前記切替指令は、前記接眼検知手段によって、前記光学ファインダへの接眼が検知されたことに応答して発せられることを特徴とする撮像装置。  
【請求項９】
請求項７に記載の撮像装置において、
前記切替指令は、前記撮像装置の操作部材を用いた指示操作に応答して発せられることを特徴とする撮像装置。
【請求項１０】
撮像装置であって、
被写体像に関する画像を取得する撮像素子と、
前記被写体像を視認可能な光学ファインダと、
前記撮像素子内のＡＦエリアにおける画像信号に基づいて合焦制御を行う合焦手段と、
前記撮像素子によって取得される被写体像に関する時系列の画像を順次に表示部に表示させるとともに、前記ＡＦエリアの位置を表す位置表示を前記時系列の画像に重畳して表示させる表示制御手段と、
前記ＡＦエリアの位置を前記撮像素子による撮影範囲内の任意の位置に指定することが可能な位置指定モードを有効化するか否かを設定する設定手段と、
前記位置指定モードが有効化されている状況において、前記表示部を用いた第１の構図決め操作から前記光学ファインダを用いた第２の構図決め操作への切替指令が発せられると、当該切替指令に応答して、前記ＡＦエリアの位置を決定するＡＦエリア決定手段と、
を備えることを特徴とする撮像装置。
【請求項１１】
請求項１０に記載の撮像装置において、
前記ＡＦエリア決定手段は、前記撮影範囲内において前記ＡＦエリアの候補として予め特定された候補領域の中から、前記第１の構図決め操作が行われている状態で有効化されていた前記位置指定モードにおける前記位置表示の位置に最も近い候補領域の位置を、前記ＡＦエリアの位置として決定することを特徴とする撮像装置。
【請求項１２】
請求項１１に記載の撮像装置において、
前記ＡＦエリア決定手段は、前記撮影範囲内において前記ＡＦエリアの候補として予め特定された候補領域の中から、予め指定された前記候補領域を前記ＡＦエリアとして決定することを特徴とする撮像装置。
【発明の詳細な説明】
【技術分野】
【０００１】
本発明は、撮像装置に関する。
【背景技術】
【０００２】
デジタルカメラにおける自動合焦（ＡＦ）手法としては、位相差検出方式による焦点調節手法（位相差ＡＦ制御）とコントラスト検出方式による焦点調節手法（コントラストＡＦ制御）とが知られている。
【０００３】
コントラストＡＦ制御と位相差ＡＦ制御とを比較した場合、コントラストＡＦ制御は、位相差ＡＦ制御に比してＡＦ精度が高い反面、位相差ＡＦ制御よりも合焦速度が遅いことが知られている。また、位相差ＡＦ制御では、撮像素子による撮影範囲のうち、一部の領域しかＡＦエリアとならないが、コントラストＡＦ制御では、撮像素子による撮影範囲のうち、任意の位置における領域から得られる情報を用いてＡＦを行うことが可能である。
【０００４】
近年、このような各ＡＦ手法における特長を利用して、焦点調節を行う技術が開発されており、例えば、特許文献１では、２つのＡＦ手法を有する撮像装置において、２つのＡＦ手法を状況に応じて択一的に選択して、焦点調節を行う技術が提案されている。
【０００５】
【特許文献１】特開２００５−２２１６０２号公報
【発明の開示】
【発明が解決しようとする課題】
【０００６】
ところで、コントラストＡＦ制御では、上述のように撮影範囲内の任意の位置における領域（ＡＦエリア）から得られる情報を用いてＡＦを行うことが可能である。このため、撮像素子によって取得される被写体像に関する時系列の画像（ライブビュー画像）を背面ＬＣＤ等の表示部に順次に表示させるライブビュー機能を有する撮像装置において、撮影者がＡＦエリアの位置を自由に指定するモード（位置指定モード）を設けることも可能となる。
【０００７】
しかし、このような位置指定モードでは、表示部においてＡＦエリアの位置を視認することが可能であるが、光学ファインダ表示内においては、その位置を視認することができない。このため、位置指定モード選択下において、表示部を用いたフレーミング（構図決め操作）から光学ファインダを用いたフレーミングへと切り替えられた場合には、撮影者は当該位置指定モードによるＡＦエリアを視認することが困難になるという不都合が生じる。
【０００８】
そこで、本発明は、指定されたＡＦエリアを視認することが困難になるという不都合に対処することが可能な撮像装置を提供することを目的とする。
【課題を解決するための手段】
【０００９】
本発明は、上記課題を解決すべくなされたものであり、その第１の側面は、撮像装置であって、被写体像に関する画像を取得する撮像素子と、前記被写体像を視認可能な光学ファインダと、前記撮像素子内のＡＦエリアにおける画像信号に基づいて合焦制御を行う合焦手段と、前記撮像素子によって取得される被写体像に関する時系列の画像を順次に表示部に表示させるとともに、前記ＡＦエリアの位置を表す位置表示を前記時系列の画像に重畳して表示させる表示制御手段と、前記ＡＦエリアの位置を前記撮像素子による撮影範囲内の任意の位置に指定することが可能な位置指定モードを有効化するか否かを設定する設定手段と、前記位置指定モードが有効化されている状況において、前記表示部を用いた第１の構図決め操作から前記光学ファインダを用いた第２の構図決め操作への切替指令が発せられると、当該切替指令に応答して警告を発する警告手段とを備えることを特徴とする撮像装置である。
【００１０】
また、本発明の第２の側面は、撮像装置であって、被写体像に関する画像を取得する撮像素子と、前記被写体像を視認可能な光学ファインダと、前記撮像素子内のＡＦエリアにおける画像信号に基づいて合焦制御を行う合焦手段と、前記撮像素子によって取得される被写体像に関する時系列の画像を順次に表示部に表示させるとともに、前記ＡＦエリアの位置を表す位置表示を前記時系列の画像に重畳して表示させる表示制御手段と、前記ＡＦエリアの位置を前記撮像素子による撮影範囲内の任意の位置に指定することが可能な第１のＡＦエリア決定モードと、前記撮影範囲内において前記ＡＦエリアの候補として予め特定された候補領域の少なくとも１つを前記ＡＦエリアとして決定することが可能な第２のＡＦエリア決定モードとを選択的に有効化するか否かを設定する設定手段と、前記第１のＡＦエリア決定モードが有効化されている状況において、前記表示部を用いた第１の構図決め操作から前記光学ファインダを用いた第２の構図決め操作への切替指令が発せられると、当該切替指令に応答して、前記第１のＡＦエリア決定モードから前記第２のＡＦエリア決定モードへと遷移させるモード遷移手段とを備えることを特徴とする撮像装置である。
【００１１】
また、本発明の第３の側面は、撮像装置であって、被写体像に関する画像を取得する撮像素子と、前記被写体像を視認可能な光学ファインダと、前記撮像素子内のＡＦエリアにおける画像信号に基づいて合焦制御を行う合焦手段と、前記撮像素子によって取得される被写体像に関する時系列の画像を順次に表示部に表示させるとともに、前記ＡＦエリアの位置を表す位置表示を前記時系列の画像に重畳して表示させる表示制御手段と、前記ＡＦエリアの位置を前記撮像素子による撮影範囲内の任意の位置に指定することが可能な位置指定モードを有効化するか否かを設定する設定手段と、前記位置指定モードが有効化されている状況において、前記表示部を用いた第１の構図決め操作から前記光学ファインダを用いた第２の構図決め操作への切替指令が発せられると、当該切替指令に応答して、前記ＡＦエリアの位置を決定するＡＦエリア決定手段とを備えることを特徴とする撮像装置である。
【発明の効果】
【００１２】
本発明によれば、位置指定モード選択下において、表示部を用いた構図決め操作から光学ファインダを用いた構図決め操作へと切り替えられた場合に、当該位置指定モードによるＡＦエリアを視認することが困難になるという不都合に対処することが可能となる。
【発明を実施するための最良の形態】
【００１３】
以下、本発明の実施形態を図面に基づいて説明する。
【００１４】
＜実施形態＞
＜１．構成＞
図１および図２は、本発明の実施形態に係る撮像装置１Ａの外観構成を示す図である。ここで、図１は、撮像装置１Ａの正面外観図であり、図２は、撮像装置１Ａの背面外観図である。この撮像装置１Ａは、レンズ交換式一眼レフレックスタイプのデジタルカメラとして構成されている。
【００１５】
図１に示すように、撮像装置１Ａは、カメラ本体部（カメラボディ）２を備えている。このカメラ本体部２に対して、交換式の撮影レンズユニット（交換レンズ）３が着脱可能である。
【００１６】
撮影レンズユニット３は、主として、鏡胴３６、ならびに、鏡胴３６の内部に設けられるレンズ群３７（図３参照）及び絞り３３等によって構成される。レンズ群３７には、光軸方向に移動することによって焦点位置を変更するフォーカスレンズ３８等が含まれている。
【００１７】
カメラ本体部２は、撮影レンズユニット３が装着される円環状のマウント部Ｍｔを正面略中央に備え、撮影レンズユニット３を着脱するための着脱ボタン８９を円環状のマウント部Ｍｔ付近に備えている。
【００１８】
また、カメラ本体部２は、その正面左上部にモード設定ダイアル８２を備え、その正面右上部に制御値設定ダイアル８６を備えている。モード設定ダイアル８２を操作することによって、カメラの各種モード（各種撮影モード（人物撮影モード、風景撮影モード、および連続撮影モード等）、および撮影した画像を再生する再生モード等を含む）の設定動作（切替動作）を行うことが可能である。また、制御値設定ダイアル８６を操作することによれば、各種撮影モードにおける制御値を設定することが可能である。
【００１９】
また、カメラ本体部２は、正面左端部に撮影者（ユーザ）が把持するためのグリップ部１４を備えている。グリップ部１４の上面には露光開始を指示するためのレリーズボタン１１が設けられている。グリップ部１４の内部には電池収納室とカード収納室とが設けられている。電池収納室にはカメラの電源として、例えば４本の単３形乾電池が収納されており、カード収納室には撮影画像の画像データを記録するためのメモリカード（不図示）が着脱可能に収納されるようになっている。
【００２０】
レリーズボタン１１は、半押し状態（Ｓ１状態）と全押し状態（Ｓ２状態）の２つの状態を検出可能な２段階検出ボタンである。レリーズボタン１１が半押しされＳ１状態になると、被写体に関する記録用静止画像（本撮影画像）を取得するための準備動作（例えば、ＡＦ制御動作およびＡＥ制御動作等）が行われる。また、レリーズボタン１１がさらに押し込まれてＳ２状態になると、当該本撮影画像の撮影動作（撮像素子１０７（後述）を用いて被写体像に関する露光動作を行い、その露光動作によって得られた画像信号に所定の画像処理を施す一連の動作）が行われる。
【００２１】
図２において、カメラ本体部２の背面の略中央には、背面モニタ１２が設けられている。背面モニタ１２は、例えばカラー液晶ディスプレイ（ＬＣＤ）として構成される。背面モニタ１２は、撮影条件等を設定するためのメニュー画面を表示したり、再生モードにおいてメモリカードに記録された撮影画像を再生表示したりすることができる。
【００２２】
背面モニタ１２の左上部にはメインスイッチ８１が設けられている。メインスイッチ８１は２点スライドスイッチからなり、接点を左方の「ＯＦＦ」位置に設定すると、電源がオフになり、接点の右方の「ＯＮ」位置に設定すると、電源がオンになる。
【００２３】
背面モニタ１２の右側には方向選択キー８４およびＡＦ選択ボタン８５が設けられている。方向選択キー８４は円形の操作ボタンを有し、この操作ボタンにおける上下左右の４方向の押圧操作と、右上、左上、右下及び左下の４方向の押圧操作とが、それぞれ検出されるようになっている。なお、方向選択キー８４は、上記８方向の押圧操作とは別に、中央部のプッシュボタンの押圧操作も検出されるようになっている。また、ＡＦ選択ボタン８５は押圧操作を検知し、撮像装置１Ａの自動合焦（ＡＦ）方式を切り替える。
【００２４】
背面モニタ１２の左側には、メニュー画面の表示、または画像の削除などを行うための複数のボタンからなる設定ボタン群８３が設けられている。
【００２５】
カメラ本体部２の背面略中央上部には、光学ファインダ（「ＯＶＦ」とも称する）１０が設けられている。光学ファインダ１０には、撮影レンズユニット３からの被写体像が導かれる。撮影者は、光学ファインダ１０を覗くことによって、被写体を視認することができる。より具体的には、撮影レンズユニット３を通過してきた被写体像を、ミラー１０３(図３参照)で上方に反射させ、ペンタプリズムを通した像を接眼レンズ１０６を介して見ることで、被写体像を視認することができる。このように、光学ファインダ１０を用いて構図決めを行うことが可能である。なお、本撮影画像の撮影時においては、ミラー１０３は被写体像の光路から待避し、撮影レンズユニット３からの光がシャッタユニット４０の開放タイミングに合わせて撮像素子１０７に到達し、被写体に係る撮影画像（画像データ）が得られる。
【００２６】
光学ファインダ１０の下部には、接眼検知センサ１３が設けられている。接眼検知センサ１３は、近接物体の有無を検知するセンサであり、撮影者によるファインダ使用の有無を検知する。
【００２７】
光学ファインダ１０の右側には、表示モード選択ボタン８７が設けられている。表示モード選択ボタン８７は、押圧操作を検出することにより、構図決め操作（フレーミング）を光学ファインダを用いて行うか、背面モニタ１２を用いて行うかを切り替える。詳細は、後述する。
【００２８】
次に、撮像装置１Ａの内部構成について説明する。図３は、撮像装置１Ａの縦断面図である。図３に示すように、カメラ本体部２の内部には、撮像素子１０７、ファインダ部１０１、ミラー１０３、シャッタユニット４０、カメラ制御マイコン１００などが備えられている。
【００２９】
撮像素子（撮像センサ）１０７は、撮像装置１Ａに交換レンズ３が装着された場合の当該交換レンズ３が備えているレンズ群３７の光軸Ｌ上において、光軸Ｌに対して垂直な平面内に配置されている。撮像素子１０７としては、例えばフォトダイオードを有して構成される複数の画素がマトリクス状に２次元配置され、各画素の受光面に、それぞれ分光特性の異なる例えばＲ（赤）、Ｇ（緑）、Ｂ（青）のカラーフィルタが１：２：１の比率で配設されてなるベイヤー配列のＣＭＯＳカラーエリアセンサ（単に、「ＣＭＯＳ」とも称する）が用いられる。撮像素子１０７は、レンズ群３７により結像された被写体の光像をＲ（赤）、Ｇ（緑）、Ｂ（青）各色成分のアナログの電気信号（画像信号）に変換し、Ｒ、Ｇ、Ｂ各色の画像信号として出力する。
【００３０】
また、撮像素子１０７は、撮像用の受光素子群に加えて、位相差検出用（焦点位置検出用）の受光素子群（単に「位相差検出センサ」とも称する）１０８をも有している。撮像装置１Ａでは、位相差検出センサ１０８からの出力信号に基づいて合焦位置を検出し、位相差検出方式による自動合焦（位相差ＡＦ制御）が実行される。
【００３１】
撮像素子１０７の光軸方向直前には、シャッタユニット４０が配置されている。このシャッタユニット４０は、上下方向に移動する幕体を備え、光軸Ｌに沿って撮像素子１０７に導かれる被写体光（被写体像）の光路開口動作及び光路遮断動作を行うメカニカルフォーカルプレーンシャッタである。
【００３２】
上記の光軸Ｌ上において、被写体光をファインダ部１０１へ向けて反射される位置には、ミラー（「半透過ミラー」若しくは「ハーフミラー」とも称する）１０３が配置されている。交換レンズ３を通過した被写体光の一部は、ミラー１０３によって上方へ反射され、焦点板１０４（ピントグラス）に結像される。また、交換レンズ３を通過した被写体光の他の一部はこのミラー１０３を透過する。透過した被写体光は、撮像素子１０７に受光され、当該撮像素子１０７によって被写体光に関する時系列の画像（ライブビュー画像）が取得される。また、透過した被写体光は、撮像素子１０７上の位相差検出センサ１０８にも受光され、位相差ＡＦ制御にも利用される。
【００３３】
ファインダ部１０１は、ペンタプリズム１０５と接眼レンズ１０６と重畳表示素子（「インポーズ表示素子」とも称する）１０２とを備えている。ペンタプリズム１０５は、断面５角形を呈し、その下面から入射された被写体像を内部での反射によって当該光像の天地左右を入れ替えて正立像にするためのプリズムである。接眼レンズ１０６は、ペンタプリズム１０５により正立像にされた被写体像を光学ファインダ１０の外側に導く。インポーズ表示素子１０２は、例えば、ＬＥＤ（発光ダイオード）によって構成され、点灯または点滅によって、焦点板１０４上の被写体像へ重畳表示を行う。また、焦点板１０４には、ファインダ内表示装置１０９が付属され、焦点板１０４に結像された被写体像にシャッタスピードまたは絞り値等の撮影情報が付加される。このような構成により、ファインダ部１０１は、撮影待機時において被写界を確認するための光学ファインダ１０として機能する。
【００３４】
ミラー１０３は、所謂クイックリターンミラーとして構成されており、露光（本撮影）時には矢印Ａに示す上方に向けて跳ね上がり、焦点板１０４の下方位置で停止する（ミラーアップ状態）。露光が終了すると、ミラー１０３は元の位置（図３に示す位置）に復帰する（ミラーダウン状態）。
【００３５】
ミラー１０３が光路から退避したミラーアップ状態では、撮影光学系からの被写体像は撮像素子１０７に全て結像され、撮像素子１０７によって本撮影画像が取得可能となる。
【００３６】
一方、ミラー１０３が光路を遮るミラーダウン状態では、撮影光学系からの被写体像は、反射光路と透過光路との２つの光路に分離される。透過光路に分離された被写体像は、撮像素子１０７に結像される。また、反射光路に分離された被写体像は、ファインダ光学系へ導かれる。ミラーダウン状態では、光学ファインダ視野内の表示（「ＯＶＦ表示」とも称する）、或いは背面モニタ１２に動画的態様にて表示されるライブビュー画像（「ライブビュー（ＬＶＦ）表示」とも称する）のいずれかを視認することによって、構図決め操作（「フレーミング」とも称する）を行うことが可能となる。
【００３７】
本実施形態では、フレーミング手段として背面モニタ１２を利用可能な状態をＬＶＦモードと称し、フレーミング手段として光学ファインダ１０を利用可能な状態をＯＶＦモードと称する。また、ＬＶＦモードとＯＶＦモードとは、表示モード選択ボタン８７の押圧操作、或いは接眼検知センサ１３によって判定される光学ファインダ使用の有無に応じて、相互に切り替えられる。
【００３８】
詳細には、ＬＶＦモードにおいて表示モード選択ボタン８７が押下されると、ＬＶＦモードからＯＶＦモードに変更される。したがって、ＬＶＦモード採用時における表示モード選択ボタン８７の押圧操作に応答して、背面モニタ１２を用いた或る種類の構図決め操作から光学ファインダ１０を用いた別種の構図決め操作への切替指令が発せられることになる。
【００３９】
なお、撮像装置１Ａでは、ミラー１０３としてハーフミラーを採用し、ミラーダウン状態においてＯＶＦ表示とＬＶＦ表示とのいずれかを利用可能としている。このため、ＬＶＦモードにおいても光学ファインダ１０を用いて被写体を視認することが原理的に可能となり、ＯＶＦモードにおいても背面モニタ１２を用いて被写体を視認することが原理的に可能となる。しかし、本実施形態では、表示モード選択ボタン８７の押下操作は、ＯＶＦ表示とＬＶＦ表示とのうちのいずれかを用いてフレーミングを行うという撮影者の意思の表れである。ＬＶＦモードにおける表示モード選択ボタン８７の押下操作は、背面モニタ１２を用いた構図決め操作から光学ファインダ１０を用いた構図決め操作への切替操作であるとみなし、当該切替操作に応じて切替指令を発するものとする。
【００４０】
また、接眼検知センサ１３によって光学ファインダ１０が使用されていると判定される場合にもＯＶＦモードに変更される。すなわち、接眼検知センサ１３による検知結果に応じて、上記と同様の切替指令が発せられる。
【００４１】
カメラ制御マイコン１００は、演算を行うＣＰＵと演算を行うための作業領域となるＲＡＭと制御プログラムおよび撮像装置１Ａの設定情報等が記憶されているＲＯＭとが互いに協働して動作することによって全体制御部１００ａを構成し、撮像装置１Ａの各動作を統括的に制御する。
【００４２】
交換レンズ３は、レンズ制御マイコン３０と絞り３３とフォーカス駆動部３４と絞り駆動部（不図示）とを備えている。レンズ制御マイコン３０は、交換レンズ３の光学特性情報（例えば、焦点距離、開放絞り値等）および／または状態情報（例えば、フォーカスレンズ位置、絞り値（Ｆナンバー）等）をカメラ制御マイコン１００へ送信するとともに、フォーカス駆動部３４と絞り駆動部（不図示）とを制御する。
【００４３】
フォーカス駆動部３４は、レンズ群３７に含まれるフォーカスレンズ３８を適宜光軸方向に駆動するものである。また、絞り駆動部は、設定される絞り値となるように絞り３３の開口径を調整するものである。
【００４４】
＜２．表示機能＞
次に、撮像装置１Ａの情報表示機能について説明する。図４は、撮像装置１Ａの情報表示機能を示すブロック図である。図５は、光学ファインダ視野内のＯＶＦ表示を示す図であり、図６は、背面モニタ１２におけるＬＶＦ表示を示す図である。図５において、被写体表示領域Ｈ１の中心付近に点在する９つの矩形領域ＲＥ１〜ＲＥ９は、焦点板１０４へのケガキによって視認可能となったものであり、位相差ＡＦ制御用の測距領域（位相差検出センサ１０８の検出対象領域）を表している。
【００４５】
上述のように、撮像装置１Ａでは、撮影者は光学ファインダ視野内のＯＶＦ表示或いは背面モニタ１２におけるＬＶＦ表示のいずれかを視認することによってフレーミングを行うことができる。
【００４６】
具体的には、図４に示されるように表示モード選択ボタン８７または接眼検知センサ１３によってＯＶＦモードが選択されると、光学ファインダ視野内のＯＶＦ表示を視認することによってフレーミングが可能となる。ＯＶＦ表示の内容は、全体制御部１００ａからの指令を受けるファインダ内表示装置１０９、インポーズ表示素子１０２によって制御される。より詳細には、撮影情報は、ファインダ内表示装置１０９によって被写体表示領域Ｈ１下部の撮影情報表示欄Ｈ２に付加表示される（図５参照）。また、実際に合焦動作に用いられるＡＦエリア（後述）は、インポーズ表示素子１０２によって被写体表示領域Ｈ１中の矩形領域ＲＥ１〜ＲＥ９を点灯または点滅させることによって撮影者に視認可能となる。なお、インポーズ表示素子１０２は、各矩形領域ＲＥ１〜ＲＥ９に対応して一つずつ配設されている。
【００４７】
一方、表示モード選択ボタン８７または接眼検知センサ１３によってＬＶＦモードが選択されると、背面モニタ１２のＬＶＦ表示を視認することによってフレーミングが可能となる。背面モニタ１２への表示動作は、全体制御部１００ａにおける表示制御部１００ｂによって制御される。より詳細には、表示制御部１００ｂは、撮像素子１０７によって連続的に取得される複数の画像のそれぞれをライブビュー画像としてライブビュー画像表示領域Ｌ１に順次に表示させるとともに、撮影情報をライブビュー画像表示領域Ｌ１の下部の撮影情報表示欄Ｌ２に表示させる（図６参照）。また、位相差ＡＦ制御の際に採用可能な測距領域ＲＥ１〜ＲＥ９は、ライブビュー画像に重畳して表示される（図６）。
【００４８】
＜３．自動合焦＞
次に、撮像装置１Ａにおける自動合焦（ＡＦ）について説明する。図７は、撮像装置１Ａにおける各ＡＦ方式とＡＦエリアパターンとの関係を示す図である。図７中の○印は、該当するＡＦ方式とＡＦエリアパターンとの組合せが可能であることを示し、×印は、該当するＡＦ方式とＡＦエリアパターンとの組合せが不可能であることを示している。
【００４９】
図７に示されるように、撮像装置１Ａでは、コントラスト方式（山登り方式）のＡＦ制御（コントラストＡＦ制御）ＣＲと、位相差方式のＡＦ制御（位相差ＡＦ制御）ＰＴと、両者を組み合わせたＡＦ制御（ハイブリッドＡＦ制御）ＨＢとのうちのいずれかひとつの自動合焦方式（「ＡＦ方式」、「ＡＦタイプ」とも称する）を選択し、実行することができる。
【００５０】
コントラストＡＦ制御ＣＲでは、撮像素子１０７からの画像信号に基づいてＡＦ評価値を算出し、フォーカスレンズ３８を駆動させて、ＡＦ評価値が極大となる位置を検出することによって焦点調節が行われる。ＡＦ評価値としては、例えば、所定のタイミングで撮像素子１０７によって連続的に取得される各画像における、隣接画素間の画素値の差分の総和を採用することができる。
【００５１】
位相差ＡＦ制御ＰＴでは、所定の測距領域に関する位相差検出センサ１０８からの信号に基づいて、被写体の合焦状態が実現される位置（レンズ合焦位置）を検出し、求められたレンズ合焦位置にフォーカスレンズ３８を駆動させることによって焦点調節が行われる。
【００５２】
また、ハイブリッドＡＦ制御ＨＢでは、上記コントラストＡＦ制御ＣＲと位相差ＡＦ制御ＰＴとを組み合わせた焦点調節が行われる。具体的には、コントラストＡＦ制御ＣＲの方が位相差ＡＦ制御ＰＴよりもＡＦ精度が高いこと、および位相差ＡＦ制御ＰＴの方がコントラストＡＦ制御ＣＲよりも焦点調節が速いことから、ハイブリッドＡＦ制御ＨＢでは、まず位相差ＡＦ制御ＰＴによる粗調整が行われ、合焦点付近からコントラストＡＦ制御ＣＲによる微調整が行われる。
【００５３】
このような３つのＡＦ方式のうち、いずれのＡＦ方式を採用するか（ＡＦタイプ選択）については、原則として、選択部材を用いた撮影者による指示操作によって行われる。具体的には、上述のＡＦ選択ボタン８５の押圧操作によって、撮影者はＡＦタイプを選択し、決定することができる。
【００５４】
また、図７に示されるように、撮像装置１Ａでは、撮影者は上述のＡＦタイプ選択の他に、合焦動作を行う際に用いるＡＦエリア（「フォーカスエリア」とも称する）を変更すること（ＡＦエリア選択）ができる。ＡＦエリア選択のパターン（「ＡＦエリアパターン」、「ＡＦエリア決定モード」とも称する）としては、中央スポット式とワイド式とローカル式とＦスポット（フレキシブルスポット）式とがある。なお、いずれのＡＦエリアパターンを選択（有効化）するか（ＡＦエリア選択）および各ＡＦエリアパターンにおける各種操作は、方向選択キー８４または設定ボタン群８３等を用いたボタン操作によって行われる。
【００５５】
中央スポット式（単に「中央スポット」とも称する）では、ＡＦエリアとして、撮像素子１０７による撮影範囲において、中央部の測距領域ＲＥ１が固定的に指定される（図６参照）。
【００５６】
ワイド式（単に「ワイド」とも称する）では、ＡＦエリアの候補として、複数の測距領域が指定される。そして、本撮影の際には、指定された複数の測距領域のうち、至近優先の原則により撮像装置１Ａから最も近くに存在する被写体の像を取得する測距領域がＡＦエリアとして決定される。例えば、図６において、複数の測距領域ＲＥ１，ＲＥ６，ＲＥ７がＡＦエリアの候補として指定されると、指定された３つの測距領域ＲＥ１，ＲＥ６，ＲＥ７のうち、撮像装置１Ａから最も至近に存在する被写体の像を取得する測距領域がＡＦエリアとして決定される。
【００５７】
ローカル式（単に「ローカル」とも称する）では、撮影者が各測距領域の中からＡＦエリアを１つ選択して指定する。
【００５８】
Ｆスポット式（単に「Ｆスポット」とも称する）では、予め決定されたＦスポット枠（「所定領域」、「測距枠」とも称する）ＦＲを撮影者が撮影範囲内において移動させてＡＦエリアの位置を指定する（図６参照）。これにより、Ｆスポットでは、撮影範囲内の任意の位置の所定領域ＦＲから得られる情報に基づいて合焦動作を実行することが可能となる。なお、Ｆスポット枠ＦＲは、合焦動作を行う際に用いられるＡＦエリアの撮影範囲内における位置を表す表示（位置表示）である。また、Ｆスポットは、撮影者がＡＦエリアの位置を指定するモードであることから、位置指定モードとも表現される。
【００５９】
上述のような中央スポット、ワイドまたはローカルによるＡＦエリア選択は、ＬＶＦモードおよびＯＶＦモードにおいて実行可能である。しかし、ＦスポットによるＡＦエリア選択は、ＬＶＦモードにおいて実行可能であるが、ＯＶＦモードにおいては実行することができない。
【００６０】
具体的には、ＦスポットによるＡＦエリア選択では、撮影者がＦスポット枠ＦＲを撮影範囲内において移動させて、ＡＦエリアを指定する。このため、ＦスポットによるＡＦエリア選択を実行するには、撮影者の指示に応じて移動可能な位置表示（本実施形態ではＦスポット枠ＦＲ）を表示する能力（表示能力）をフレーミング手段が有していることが好ましい。ところが、ＯＶＦモードでは、撮影者は光学ファインダ内のＯＶＦ表示を視認することによってフレーミングを行うが、ＯＶＦ表示は撮影者の指示に応じて移動可能なＦスポット枠ＦＲを表示させる表示能力を有していない。インポーズ表示素子１０９は、光学ファインダ視野内の予め定められた特定領域を強調表示する機能を有しているが、光学ファインダ視野内の任意の位置を強調表示する機能を有していない。また、ＯＶＦ表示の表示能力を向上させる手法として、例えば、多数のインポーズ表示素子１０２をマトリクス状に配設させる方法も考えられるが、配設スペースを確保することが困難であることから、現実的ではない。
【００６１】
このように、ＯＶＦ表示においては、ＬＶＦ表示に比べてその表示能力が制限されていることから、Ｆスポット枠ＦＲを表示することができず、撮影者は、Ｆスポット枠ＦＲを視認することができない。すなわち、ＯＶＦモードでは、ＦスポットによるＡＦエリア選択を実行することが困難となる。
【００６２】
次に、ＡＦタイプとＡＦエリアパターンとの関係について説明する。図７に示されるように、原則的には、いずれのＡＦ方式に対しても、ＡＦエリアパターンを適用することができる。ただし、位相差ＡＦ制御ＰＴでは、ＡＦエリアとなりうる測距領域が予め限定されているため、ＦスポットによるＡＦエリア選択を実行することができない。このように、ＯＶＦモードの他に、位相差ＡＦ制御ＰＴにおいても、ＦスポットによるＡＦエリア選択が制限される。
【００６３】
具体的には、図８および図９を用いて説明する。図８および図９は、ＡＦタイプとＡＦエリアパターンとに関する撮像装置１Ａの状態遷移図である。図８は、ＬＶＦモードにおける状態遷移図であり、図９は、ＯＶＦモードにおける状態遷移図である。また、図８および図９においてＡＦタイプの切替（遷移）は、実線矢印によって表されている。
【００６４】
図８に示されるように、ＬＶＦモードではＡＦタイプは、操作部材（ここでは、ＡＦ選択ボタン８５）の切替操作によって、原則的に循環して切り替えられる。具体的には、ＬＶＦモードにおいて中央スポット、ワイド、またはローカルの各ＡＦエリアパターンが選択されている場合には、ＡＦタイプは、切替操作によってハイブリッドＡＦ制御ＨＢ→位相差ＡＦ制御ＰＴ→コントラストＡＦ制御ＣＲ→ハイブリッドＡＦ制御ＨＢの順に循環して遷移する。これに対して、ＦスポットのＡＦエリアパターンが選択されている場合には、ＡＦタイプとしては位相差ＡＦ制御ＰＴを採用することができず、ＡＦタイプは、切替操作によってハイブリッドＡＦ制御ＨＢ→コントラストＡＦ制御ＣＲ→ハイブリッドＡＦ制御ＨＢの順に循環して遷移する。
【００６５】
また、ＡＦエリアパターンは、操作部材の切替操作によって、原則としてＡＦタイプを保持したまま切り替えられる。具体的には、ＬＶＦモードにおいてハイブリッドＡＦ制御ＨＢまたはコントラストＡＦ制御ＣＲの各ＡＦタイプが選択されている場合には、ＡＦエリアパターンは、切替操作によって中央スポット、ワイド、ローカルまたはＦスポットのうちのいずれか一つに遷移する。これに対して、位相差ＡＦ制御ＰＴのＡＦタイプが選択されている場合には、ＡＦエリアパターンは、切替操作によって中央スポット、ワイドまたはローカルのうちのいずれか一つに遷移可能であるが、Ｆスポットに遷移することはない。これは、上述のように位相差ＡＦ制御ＰＴでは、ＡＦエリアとなりうる測距領域が予め限定されているため、ＡＦエリアを撮影範囲内の任意の位置に変更できるＦスポットのＡＦエリアパターンを採用することができないからである。なお、本実施形態においては、位相差ＡＦ制御ＰＴのＡＦタイプが選択されている場合にＡＦエリアパターンとしてＦスポットが指定されると、ＡＦタイプが位相差ＡＦ制御ＰＴからハイブリッドＡＦ制御ＨＢへと自動的に遷移する（図８中の破線矢印）ものとする。
【００６６】
一方、図９に示されるように、ＯＶＦモードにおける状態遷移は、ＦスポットによるＡＦエリア選択を実行することができない点以外は、上記ＬＶＦモードにおける状態遷移と同様である。
【００６７】
具体的には、ＡＦタイプは、操作部材（ここでは、ＡＦ選択ボタン８５）の切替操作によって循環して切り替えられる。具体的には、ＯＶＦモードにおいて中央スポット、ワイド、またはローカルの各ＡＦエリアパターンが選択されている場合には、ＡＦタイプは、切替操作によってハイブリッドＡＦ制御ＨＢ→位相差ＡＦ制御ＰＴ→コントラストＡＦ制御ＣＲ→ハイブリッドＡＦ制御ＨＢの順に循環して遷移する。
【００６８】
また、ＡＦエリアパターンは、操作部材の切替操作によって、原則としてＡＦタイプを保持したまま切り替えられる。具体的には、ＯＶＦモードにおいてハイブリッドＡＦ制御ＨＢ、位相差ＡＦ制御ＰＴ、またはコントラストＡＦ制御ＣＲの各ＡＦタイプが選択されている場合は、ＡＦエリアパターンは、切替操作によって中央スポット、ワイド、またはローカルのうちのいずれか一つに遷移する。
【００６９】
このように、図８と図９とを対比すると、ＬＶＦモードにおいては、ＦスポットのＡＦエリアパターンに遷移することが可能であるが、ＯＶＦモードにおいてはＯＶＦ表示の表示能力が制限されることから、ＦスポットのＡＦエリアパターンに遷移することができないことがわかる。
【００７０】
ここで、ＬＶＦモードとＯＶＦモードとの間において、表示モード選択ボタン８７または接眼検知センサ１３によるモードの切替が発生した場合を想定する。図１０は、ＬＶＦモードにおいてＦスポットのＡＦエリアパターンが選択されていた場合に、モード切替が発生したときの動作概略を示す図である。
【００７１】
ＯＶＦモードからＬＶＦモードへとモードが切り替えられた場合には、ＯＶＦモードにおけるＡＦタイプとＡＦエリアパターンとはそのまま保持された状態で、ＬＶＦモードに遷移する。同様に、ＬＶＦモードにおいて中央スポット、ワイドまたはローカルの各ＡＦエリアパターンが選択されている状態で、ＯＶＦモードへのモード切替が発生した場合には、ＡＦタイプとＡＦエリアパターンとはそのまま保持された状態で、ＯＶＦモードに遷移する。
【００７２】
これに対して、ＬＶＦモードにおいてＦスポットのＡＦエリアパターンが選択されている状態で、ＯＶＦモードへのモード切替が発生した場合には、ＡＦタイプをそのまま保持して遷移することができないので、何らかの対応処理を実行することが好ましい。
【００７３】
本実施形態における撮像装置１Ａでは、このような場合の対応処理として、撮影者への警告ＫＨ、或いはＦスポット以外の他のＡＦエリアパターンへの遷移ＴＳが行われる（図１０参照）。なお、ＬＶＦモードにおいてＦスポットのＡＦエリアパターンが選択されている状態で、ＯＶＦモードへのモード切替が発生した場合に、いずれの処理（警告ＫＨまたは他のＡＦエリアパターンへの遷移ＴＳ）を採用するかについては、設定ボタン群８３を操作することにより表示されるメニュー画面において、撮影者が方向選択キー８４を用いて予め指定しておくものとする。図１１は、光学ファインダ視野内の警告表示を示す図である。図１２は、光学ファインダ視野内のＯＶＦ表示の仮想例を示す図である。なお、図１２において示されている枠ＦＲＩは、実際にＯＶＦ表示内に表示されているものではなく、説明のために仮想的に図中に示したものである。
【００７４】
撮影者に対する警告ＫＨとしては、例えば、光学ファインダ視野内へ警告表示を行えばよい。表示の態様としては、例えば、撮影情報表示欄Ｈ２中に表示されている現在のＡＦタイプを示す表示（図中では「ＨＢ」）を点滅させる態様（図１１参照）、或るいは、撮影情報表示欄Ｈ２に警告表示マークを表示させる態様を採用することができる。
【００７５】
このように、ＬＶＦモードにおいてＦスポットのＡＦエリアパターンが選択されている状態で、ＯＶＦモードへのモード切替が発生した場合に、ＯＶＦ表示内へ警告表示を行うことによれば、ＯＶＦモードでは実行できないＡＦエリアパターンが選択されている旨を撮影者に伝えることが可能となる。警告を受けた撮影者は、ＡＦエリアパターンを再度選択する等の対応をとることが可能となる。
【００７６】
また、Ｆスポット以外の他のＡＦエリアパターンへの遷移ＴＳとしては、例えば、モードの切替に応答して、ＦスポットのＡＦエリアパターンをＦスポット以外の中央スポット、ワイドまたはローカルの各ＡＦエリアパターンのうち、撮影者によって予め指定されたＡＦエリアパターンへと自動的に遷移させる態様を採用することができる。３つのＡＦエリアパターンにおいては、ＡＦエリアの候補として予め特定された位相差検出センサ１０８の検出対象領域（候補領域）の少なくとも１つがＡＦエリアとして決定される。具体的には、中央スポットのＡＦエリアパターンへと遷移すると、ＡＦエリアは矩形領域ＲＥ１となる（図５参照）。ワイドのＡＦエリアパターンへと遷移すると、撮影者は、ＡＦエリアの候補として、複数の矩形領域を選択して指定することが可能となる。ローカルのＡＦエリアパターンへと遷移すると、撮影者は各矩形領域の中からＡＦエリアを１つ選択して指定することができる。
【００７７】
また、ローカルのＡＦエリアパターンへと固定的に遷移させて、モード切替前のＬＶＦ表示におけるＦスポット枠ＦＲの位置を反映して、ＡＦエリアを自動的に決定する態様を採用することも可能である。具体的には、モード切替前のＬＶＦ表示におけるＦスポット枠ＦＲの位置から最も至近に位置する矩形領域がＡＦエリアと決定される。例えば、モード切替前のＬＶＦ表示におけるＦスポット枠ＦＲ（図６参照）の位置が、ＯＶＦ表示において図１２に示される枠ＦＲＩの位置に対応しているとすると、当該枠ＦＲＩに最も近い矩形領域ＲＥ６がＡＦエリアとして決定される。なお、図１２における枠ＦＲＩは、モード切替前のＬＶＦ表示におけるＦスポット枠ＦＲを、仮想的にＯＶＦ表示内の対応する位置に示したものであり、実際にＯＶＦ表示内に表示されているものではない。
【００７８】
本実施形態では、撮影者によって予め指定されたＡＦエリアパターンへと自動的に遷移させる態様と、ローカルのＡＦエリアパターンへと固定的に遷移させて、ＡＦエリアを自動的に決定する態様とを、撮影者の指定の有無に応じて切り替えるものとする。
【００７９】
このように、モード切替前のＬＶＦ表示におけるＦスポット枠ＦＲの位置を反映させて、ＯＶＦモードにおけるＡＦエリアを決定することによれば、ＬＶＦモードでＦスポットを利用してＡＦエリアを選択していた撮影者の意図を反映させることができる。
【００８０】
上述のように、ＬＶＦモードにおいてＦスポットのＡＦエリアパターンが選択されている状態で、ＯＶＦモードへのモード切替が発生した場合にＦスポット以外の他のＡＦエリアパターンへと遷移させることによれば、表示手段切替時に生じるＡＦエリアパターンの不整合を是正することが可能となる。
【００８１】
＜４．動作＞
次に、撮像装置１Ａの動作について説明する。図１３は、撮像装置１Ａの全体動作を示すフローチャートである。
【００８２】
図１３に示されるように、メインスイッチ８１等の操作によって撮像装置１Ａの電源がオンになると、まずステップＳＰ１において、撮影モードが選択されているか否かが判定される。撮影モードが選択されていないと判定されると、ステップＳＰ２へ移行し、メモリカードに記録された撮影画像の再生表示が行われる。一方、撮影モードが選択されていると判定されると、ステップＳＰ３へと移行する。
【００８３】
ステップＳＰ３では、撮影前表示制御が実行される。詳細は、後述する。
【００８４】
次のステップＳＰ４では、自動合焦動作に用いられるＡＦエリアが決定されたか否かが判定される。ＡＦエリアが決定されていればステップＳＰ５に移行し、決定されていなければステップＳＰ１に移行する。
【００８５】
ステップＳＰ５では、レリーズボタン１１の押し込み状態に基づいてＡＦ開始判定が行われる。具体的には、レリーズボタン１１の半押し状態（Ｓ１状態）を検出すると、ステップＳＰ６へと移行し、半押し状態が検出されなければステップＳＰ１に移行する。これにより、半押し状態が検出されるまで、ステップＳＰ１からステップＳＰ５の工程が繰り返し実行されることになる。
【００８６】
ステップＳＰ６では、ＡＦ制御による焦点調節が実行される。詳細は、後述する。
【００８７】
ステップＳＰ７では、ステップＳＰ６におけるＡＦ制御の結果に基づいて、合焦表示制御が行われる。詳細は、後述する。
【００８８】
ステップＳＰ８では、レリーズボタン１１の押し込み状態に基づいて撮影開始判定が行われる。具体的には、レリーズボタン１１の全押し状態（Ｓ２状態）を検出すると、ステップＳＰ１０に移行し、全押し状態が検出されなければステップＳＰ９に移行する。
【００８９】
ステップＳＰ９では、レリーズボタン１１の半押し状態が継続されているか否かが判定され、半押し状態が継続されていればステップＳＰ８へ移行し、全押し状態が検出されるまで待機状態となる。一方、半押し状態が解除されていればステップＳＰ１へ移行する。
【００９０】
ステップＳＰ１０では、露光動作が実行される。具体的には、全ての被写体像が撮像素子１０７に入射されるミラーアップ状態となり、撮像素子１０７による露光が開始される。
【００９１】
ステップＳＰ１１では、撮像素子１０７により取得された撮影画像がメモリカードに記憶される。
【００９２】
次に、上述のステップＳＰ３における動作を詳述する。図１４および図１５は、撮影前表示制御（ステップＳＰ３）のサブルーチンを示す図である。図１６は、背面モニタ１２による撮影情報表示を示す図である。
【００９３】
撮影前表示制御工程（ステップＳＰ３）では、光学ファインダ視野内および背面モニタ１２の表示制御が行われる。ステップＳＰ２１〜ＳＰ３４（図１４）では、ＬＶＦモードにおいてＦスポットのＡＦエリアパターンが選択されている状態で、ＯＶＦモードへのモード切替が発生した場合の対応処理が決定される。そして、ステップＳＰ３５〜ＳＰ４１（図１５）では、背面モニタ１２およびＯＶＦ表示の表示制御が行われる。
【００９４】
具体的には、図１４に示されるように、ステップＳＰ２１において撮影モードにおける撮像装置１Ａの各種設定（例えば、絞り値等）が各操作部材の位置状態に基づいて取得される。
【００９５】
次のステップＳＰ２２では、ＬＶＦモードにおいてＦスポットのＡＦエリアパターンが選択されている状態で、ＯＶＦモードへのモード切替が発生した場合に、光学ファインダ視野内に警告表示を行う処理が選択されているか否かが判断される。警告表示処理が選択されていればステップＳＰ２３へ移行し、ステップＳＰ２３〜ＳＰ２８の工程が実行される。一方、警告表示処理が選択されていなければステップＳＰ２９へと移行し、ステップＳＰ２９〜ＳＰ３４の工程が実行される。なお、所定の場合に、警告表示処理を行うか否かは、予め撮影者によって指定されているものとする。
【００９６】
以下では、まず、警告表示処理が選択されていると判断され、ステップＳＰ２３へと移行する場合について説明する。
【００９７】
ステップＳＰ２３では、表示モード選択ボタン８７の押圧操作、または接眼検知センサ１３によって判定されるファインダ使用の有無に応じて、ＯＶＦモードまたはＬＶＦモードのうちのいずれかが選択される。
【００９８】
ステップＳＰ２４では、ステップＳＰ２３によるモード選択が、ＬＶＦモードからＯＶＦモードへの切替であるか否かが判定される。ＬＶＦモードからＯＶＦモードへの切替でないと判定されるとステップＳＰ２５へ移行し、ＬＶＦモードからＯＶＦモードへの切替であると判定されるとステップＳＰ２６へと移行する。
【００９９】
ステップＳＰ２５では、光学ファインダ視野内に警告表示が行われている状態か否かが判定される。警告表示が行われている状態でないと判定されると、ステップＳＰ３５へ移行し（図１５参照）、警告表示が行われている状態であると判定されると、ステップＳＰ２６へ移行する。
【０１００】
ステップＳＰ２６では、ＯＶＦモードが選択された状態であって、かつＦスポットのＡＦエリアパターンが選択された状態であるか否かが判定される。ステップＳＰ２６の条件が満たされる場合にはステップＳＰ２７に移行し、ステップＳＰ２６の条件が満たされない場合にはステップＳＰ２８へと移行する。
【０１０１】
ステップＳＰ２７では、光学ファインダ視野内にＯＶＦモードでは実行できないＡＦエリアパターン（Ｆスポット）が選択されている旨の警告表示を行うことが決定される（警告表示の有効化）。なお、実際の警告表示は、後述のステップＳＰ３７若しくはステップＳＰ４１において行われる。一方、ステップＳＰ２８では、光学ファインダ視野内の警告表示が解除される（警告表示の無効化）。
【０１０２】
このように、ステップＳＰ２３〜ＳＰ２８の工程では、ＯＶＦモードでは実行できないＡＦエリアパターン（Ｆスポット）が選択されている旨の警告を行うか否かが決定される。また、既に警告が行われていた場合には、その警告を継続するか否かが決定される。例えば、警告が行われている状態で（ステップＳＰ２５）、ＦスポットのＡＦエリアパターンから他のＡＦエリアパターンへと変更された場合には（ステップＳＰ２６）、警告が解除される（ステップＳＰ２８）。
【０１０３】
次に、ステップＳＰ２２において警告表示処理が選択されていないと判断され、ステップＳＰ２９へと移行する場合について説明する。
【０１０４】
ステップＳＰ２９では、ステップＳＰ２３と同様の処理が実行され、ＯＶＦモードまたはＬＶＦモードのうちのいずれかが選択される。
【０１０５】
ステップＳＰ３０では、ステップＳＰ２４と同様の処理が実行され、ステップＳＰ２９によるモード選択が、ＬＶＦモードからＯＶＦモードへの切替であるか否かが判定される。ＬＶＦモードからＯＶＦモードへの切替でないと判定されるとステップＳＰ３５へ移行し、ＬＶＦモードからＯＶＦモードへの切替であると判定されるとステップＳＰ３１へと移行する。
【０１０６】
ステップＳＰ３１では、ＦスポットのＡＦエリアパターンが選択された状態であるか否かが判定される。Ｆスポットが選択されていなければステップＳＰ３５へ移行し、Ｆスポットが選択されていればステップＳＰ３２へと移行する。
【０１０７】
ステップＳＰ３２では、ＡＦエリアパターンの切替（遷移）先の指定があるか否かが判断される。切替先の指定があればステップＳＰ３３へ移行し、切替先の指定がなければステップＳＰ３４へと移行する。なお、切替先の指定は、予め当該処理工程（ステップＳＰ３３）実行前に、設定ボタン群８３を操作することにより表示されるメニュー画面において、方向選択キー８４等を用いて撮影者によって行われる。切替先を指定するメニュー画面（不図示）においては、Ｆスポット以外の３つのＡＦエリアパターン（詳細には、「中央スポット」、「ワイド」、「ローカル」）と、「指定なし」との合計４つの選択肢が表示され、撮影者は方向選択キー８４を用いていずれかの選択肢を選択する。
【０１０８】
ステップＳＰ３３では、ＦスポットのＡＦエリアパターンが指定された切替先に切り替えられる。例えば、切替先として「中央スポット」のＡＦエリアパターンが指定されていた場合には、中央スポットのＡＦエリアパターンへと切り替えられる。
【０１０９】
また、ステップＳＰ３４では、ＡＦエリアパターンが自動的に決定される。具体的には、特定のＡＦエリアパターン（ここでは、「ローカル」）に固定的に切り替える。
【０１１０】
また、ローカルのＡＦエリアパターンへと固定的に切り替えて、さらに、ＡＦエリアをも自動的に決定するようにすることもできる。具体的には、上述のように、モード切替前のＬＶＦ表示におけるＦスポット枠ＦＲの位置から最も至近に位置する矩形領域（例えば、図６のＦスポット枠ＦＲに対する測距領域ＲＥ６）をＡＦエリアと決定すればよい。また、単に、９つの矩形領域ＲＥ１〜ＲＥ９の中から、撮影者の指定操作によって予めＲＯＭに記憶された矩形領域をＡＦエリアと決定してもよい。
【０１１１】
このように、ステップＳＰ２９〜ＳＰ３４の工程では、ＬＶＦモードにおいてＦスポットのＡＦエリアパターンが選択されている状態で、ＯＶＦモードへのモード切替が発生した場合に、ＡＦエリアパターンの遷移（切替）が行われる。
【０１１２】
次のステップＳＰ３５（図１５参照）においては、ＬＶＦモードが選択されているか否かが判定される。ＬＶＦモードが選択されていなければ（すなわち、ＯＶＦモードが選択されていれば）、ステップＳＰ３６へ移行する。
【０１１３】
ステップＳＰ３６では、接眼検知センサ１３による接眼が検知されるか否かが判定される。接眼が検知されればステップＳＰ３８へ移行し、接眼が検知されなければステップＳＰ３７へと移行する。
【０１１４】
ステップＳＰ３７では、背面モニタ１２に撮影情報が表示される（図１６参照）。図１３に示されるように、撮影情報としては、例えば、シャッタースピード表示Ｍ１、絞り値表示Ｍ２、ＡＦタイプ表示Ｍ３およびバッテリ残量表示Ｍ４等が表示される。また、上記ステップＳＰ２７において警告表示を行うことが決定されている場合には、背面モニタ１２に撮影情報を表示するとともに、警告表示を出力してもよい。なお、警告表示の態様としては、例えば、ＡＦタイプ表示Ｍ３を点滅表示させる態様を採用することができる（図１６参照）。
【０１１５】
このように、ＯＶＦモードが選択されている場合においても、接眼されていない状態を検知して背面モニタ１２に撮影情報を表示させることによれば、撮影者は背面モニタ１２から撮影情報および警告表示を確認することが可能となる。
【０１１６】
また、ステップＳＰ３８では、接眼が検知されていることから、背面モニタ１２の表示を消灯する。このように視認することのない表示装置をオフすることによれば、電力消費を低減することができる。
【０１１７】
一方、ステップＳＰ３５において、ＬＶＦモードが選択されていると判定されるとステップＳＰ３９へと移行する。
【０１１８】
ステップＳＰ３９では、背面モニタ１２において撮像素子１０７より取得される画像がライブビュー画像として表示される。
【０１１９】
ステップＳＰ４０では、位相差ＡＦ制御ＰＴによる測距可能領域がライブビュー画像に重畳して表示されるとともに、撮影情報が付加表示される。（図６参照）。
【０１２０】
ステップＳＰ４１では、ファインダ内表示装置１０９による光学ファインダ視野内への撮影情報或いは警告の表示と、インポーズ表示素子１０２によるインポーズ表示とが行われる。
【０１２１】
このように、ステップＳＰ３５〜ＳＰ４０の工程では、フレーミング手段として背面モニタ１２を利用するか、或いは光学ファインダ１０を利用するかの撮影者の意図に応じて、背面モニタ１２の表示制御が行われる。具体的には、表示モード選択ボタン８７によってＯＶＦモードが選択されると（ステップＳＰ３５）、光学ファインダ使用の有無に応じて（ステップＳＰ３６）、撮影情報を表示させるか（ステップＳＰ３７）、或いは表示を消灯させるか（ステップＳＰ３８）が切り替えられる。また、表示モード選択ボタン８７によってＬＶＦモードが選択されると（ステップＳＰ３５）、背面モニタ１２にはライブビュー画像と撮影情報等とが表示される（ステップＳＰ３９，ＳＰ４０）。また、接眼検知センサ１３の判定によって、ＬＶＦモードが選択されると（ステップＳＰ３５）、背面モニタ１２上の表示は消灯される（ステップＳＰ３６，ＳＰ３８）。
【０１２２】
上述のように、撮影前表示制御工程（ステップＳＰ３）においては、撮影者による指定または撮像装置１Ａの使用態様に基づいて、光学ファインダ視野内または背面モニタ１２の表示制御が行われる。
【０１２３】
次に、上述のステップＳＰ６における動作を詳述する。ＡＦ制御工程（ステップＳＰ６）では、指定されたＡＦタイプに基づいて焦点調節が行われる。図１７は、ＡＦ制御（ステップＳＰ６）のサブルーチンを示す図である。
【０１２４】
図１７に示されるように、まず、ステップＳＰ５１では、ＡＦタイプ情報とＡＦエリアパターン情報とが取得される。
【０１２５】
ステップＳＰ５２では、いずれのＡＦタイプが選択されているかが判断される。具体的には、ハイブリッドＡＦ制御ＨＢが選択されている場合にはステップＳＰ５３へ移行し、位相差ＡＦ制御ＰＴが選択されている場合にはステップＳＰ５９へ移行し、コントラストＡＦ制御ＣＲが選択されている場合にはステップＳＰ６１へ移行する。
【０１２６】
まず、ハイブリッドＡＦ制御ＨＢが選択されていると判断された場合について説明する。
【０１２７】
ステップＳＰ５３では、ＦスポットのＡＦエリアパターンが選択されているか否かが判断される。ＦスポットのＡＦエリアパターンが選択されていない場合には、ステップＳＰ５４をスキップしてステップＳＰ５５へと移行する。ＦスポットのＡＦエリアパターンが選択されている場合には、ステップＳＰ５４へ移行する。
【０１２８】
ステップＳＰ５４では、選択指定されたＦスポット枠ＦＲ内において、位相差ＡＦ制御ＰＴが可能であるか否かが判断される。具体的には、撮影者によって選択指定されたＦスポット枠ＦＲ内に、位相差ＡＦ制御ＰＴ用の測距領域が含まれているか否かが判断される。そして、測距領域が存在しない場合には、当該Ｆスポット枠ＦＲにおいては位相差ＡＦ制御ＰＴを実行することが不可能であることから、コントラストＡＦ制御（ステップＳＰ６１）へ移行する。一方、測距領域が存在する場合には、ステップＳＰ５５へ移行する。
【０１２９】
ステップＳＰ５５では、位相差ＡＦ制御ＰＴによる粗調整が行われる。具体的には、位相差検出センサ１０８からの出力信号を用いて位相差ＡＦによる測距動作を行うとともに、必要に応じてフォーカスレンズ３８の駆動動作が行われる。そして、このような位相差検出を繰り返し実行し、デフォーカス量が所定値以下となれば、位相差ＡＦ制御ＰＴによる粗調整は完了したものと判断する（ステップＳＰ５６）。
【０１３０】
ステップＳＰ５６において粗調整完了と判断されるとステップＳＰ５７へ移行し、コントラストＡＦ制御による微調整を行う。一方、ステップＳＰ５６において、被写体のコントラストが低い、或いは照度が低いこと等により粗調整完了の基準となるデフォーカス量を検出できない場合には、非合焦（ステップＳＰ６４）と判断し、ＡＦ制御を終了させる。
【０１３１】
ステップＳＰ５７では、位相差ＡＦ制御ＰＴによる粗調整によって検出されている推定合焦位置を中心とした所定のレンズ位置範囲においてフォーカスレンズ３８を駆動することによって、コントラストＡＦ制御ＣＲが実行される。そして、ＡＦ評価値が極大となる位置が検出された場合には、合焦と判断し（ステップＳＰ５８）、ステップＳＰ６３へ移行後、ＡＦ制御を終了させる。一方、ＡＦ評価値が極大となる位置が検出されない場合には、非合焦と判断し（ステップＳＰ６４）、ステップＳＰ６４へ移行後、ＡＦ制御を終了させる。
【０１３２】
次に、ステップＳＰ５２において位相差ＡＦ制御ＰＴが選択されていると判断された場合について説明する。上述のように、ステップＳＰ５２において位相差ＡＦ制御ＰＴが選択されていると判断されると、ステップＳＰ５９へ移行する。
【０１３３】
ステップＳＰ５９では、選択されたＡＦエリアにおいて、上述のような位相差ＡＦ制御ＰＴによる焦点調節が行われる。そして、ステップＳＰ６０では、合焦状態であるか否かが判断され、合焦状態であると判断されれば、ステップＳＰ６３へ移行し、合焦としてＡＦ制御を終了させる。一方、ステップＳＰ６０において、合焦状態であると判断されなければ、ステップＳＰ６４へ移行し非合焦（合焦不可）としてＡＦ制御を終了させる。
【０１３４】
また、ステップＳＰ５２においてコントラストＡＦ制御ＣＲが選択されていると判断されると、ステップＳＰ６１へ移行する。
【０１３５】
ステップＳＰ６１では、選択されたＡＦエリアにおいて、ＡＦ評価値を用いたコントラストＡＦ制御ＣＲが行われる。そして、ＡＦ評価値が極大となる位置が検出された場合には、合焦と判断し（ステップＳＰ６２）、ステップＳＰ６３へ移行後、ＡＦ制御を終了させる。一方、ＡＦ評価値が極大となる位置が検出されない場合には、非合焦と判断し（ステップＳＰ６２）、ステップＳＰ６４へ移行後、ＡＦ制御を終了させる。
【０１３６】
このように、ＡＦ制御工程（ステップＳＰ６）においては、指定されたＡＦエリアにおいて指定されたＡＦタイプによる焦点調節が実行される。
【０１３７】
次に、上述のステップＳＰ７における動作を詳述する。合焦表示制御工程（ステップＳＰ７）では、合焦状態に至ったことを撮影者に伝えるために、背面モニタ１２或いは光学ファインダ視野内において合焦表示が行われる。図１８は、合焦表示制御のサブルーチンを示す図である。図１９は、背面モニタにおけるＬＶＦ表示を示す図である。図２０は、光学ファインダ視野内のＯＶＦ表示を示す図である。
【０１３８】
図１８に示されるように、まず、ステップＳＰ７０では、ＬＶＦモードまたはＯＶＦモードのうちいずれのモードが選択されているかについての情報が取得される。
【０１３９】
そして、ステップＳＰ７１において、ＬＶＦモードが選択されているか否かを判断し、ＬＶＦモードが選択されている場合にはステップＳＰ７２へ移行し、ＬＶＦモードが選択されていない場合にはステップＳＰ７２およびステップＳＰ７３をスキップしてステップＳＰ７４へと移行する。
【０１４０】
ステップＳＰ７２においては、背面モニタ１２において撮像素子１０７より取得される画像がライブビュー画像として表示される。
【０１４１】
ステップＳＰ７３では、合焦表示が撮影情報として背面モニタ１２に表示される（図１９参照）。具体的には、図１９に示されるように、合焦表示ＧＨが背面モニタ１２の撮影情報表示欄Ｌ２において表示される。
【０１４２】
ステップＳＰ７４では、ファインダ内表示装置１０９によって光学ファインダ視野内に合焦表示ＧＨが表示される（図２０参照）。具体的には、図２０に示されるように、合焦表示ＧＨがファインダ内表示装置１０９によって撮影情報表示欄Ｈ２に付加表示される。
【０１４３】
このように、合焦表示制御工程（ステップＳＰ７）においては、背面モニタ１２或いは光学ファインダ視野内において、合焦状態に至った旨を示す合焦表示が行われる。
【０１４４】
以上のように、本実施形態に係る撮像装置１Ａは、ＡＦエリアの位置を撮像素子１０７による撮影範囲内の任意の位置に指定することが可能な位置指定モードが有効化されている状況において、背面モニタ１２を用いたフレーミングから光学ファインダ１０を用いたフレーミングへの切替指令が発せられると（ステップＳＰ２３）、当該切替指令に応答して警告を発する（ステップＳＰ２７，ＳＰ３７，ＳＰ４１）。これによれば、位置指定モード選択下において、背面モニタ１２を用いたフレーミングから光学ファインダを用いたフレーミングへと切り替えられた場合に、撮影者は当該位置指定モードによるＡＦエリアを視認することが困難になるという不都合を撮影者に警告することが可能となる。
【０１４５】
また、撮像装置１Ａは、ＡＦエリア決定モードのうちの位置指定モードが有効化されている状況において、背面モニタ１２を用いたフレーミングから光学ファインダ１０を用いたフレーミングへの切替指令が発せられると（ステップＳＰ２９）、当該切替指令に応答して、位置指定モードから他のＡＦエリア決定モードへと遷移させる（ステップＳＰ３３）。これによれば、位置指定モード選択下において、背面モニタ１２を用いたフレーミングから光学ファインダを用いたフレーミングへと切り替えられた場合に、撮影者は当該位置指定モードによるＡＦエリアを視認することが困難になるという不都合を是正することが可能となる。
【０１４６】
また、撮像装置１Ａは、位置指定モードが有効化されている状況において、背面モニタ１２を用いたフレーミングから光学ファインダ１０を用いたフレーミングへの切替指令が発せられると（ステップＳＰ２９）、当該切替指令に応答して、撮影範囲内においてＡＦエリアの候補として予め特定された測距領域ＲＥ１〜ＲＥ９の中から、背面モニタ１２を用いたフレーミングが行われている状態で有効化されていた位置指定モードにおける位置表示の位置に最も近い測距領域の位置を、ＡＦエリアの位置として決定する（ステップＳＰ３４）。これによれば、位置指定モード選択下において、背面モニタ１２を用いたフレーミングから光学ファインダを用いたフレーミングへと切り替えられた場合に、撮影者は当該位置指定モードによるＡＦエリアを視認することが困難になるという不都合を是正することが可能となる。
【０１４７】
＜変形例＞
以上、この発明の実施の形態について説明したが、この発明は、上記に説明した内容に限定されるものではない。
【０１４８】
例えば、上記実施形態においては、撮影者への警告ＫＨとして、光学ファインダ視野内へ警告表示を行っていたが、これに限定されず、撮像装置１Ａが警告音を発するようにしてもよい。
【０１４９】
また、上記実施形態では、ミラーダウン状態でＬＶＦ表示を行っていたが、これに限定されない。具体的には、ＯＶＦモードとＬＶＦモードとの切替指令に応答して、ミラーダウン状態とミラーアップ状態とを切り替えるようにして、ミラーアップ状態でＬＶＦ表示を行ってもよい。
【０１５０】
また、上記実施形態では、撮影者への警告ＫＨを行うか、或いはＦスポット以外の他のＡＦエリアパターンへの遷移ＴＳを行うかを、ステップＳＰ２２において切り替えているが、これに限定されない。具体的には、ステップＳＰ２２を省略していずれか一方（警告ＫＨ或いは遷移ＴＳ）を実行するようにしてもよい。
【０１５１】
また、上記実施形態では、ステップＳＰ３４において、特定のＡＦエリアパターンとしてローカルのＡＦエリアパターンを採用していたがこれに限定されない。具体的には、Ｆスポット以外の３つのＡＦエリアパターンのうち、いずれかに（例えば、中央スポット）固定的に遷移させる態様を採用することもできる。
【０１５２】
また、上記実施形態では、位相差検出の対象となる領域（検出対象領域）ＲＥ１〜ＲＥ９が直接撮像素子１０７上に配置されている場合を例示したが、これに限定されない。例えば、撮像素子１０７上以外の位置であって上記の領域ＲＥ１〜ＲＥ９の位置と光学的に等価な位置にそれぞれ位置検出センサを別途配置し、撮像素子１０７上における検出対象領域における光像の合焦度合いを検出するようにしてもよい。
【０１５３】
また、上記図８および図９において示される撮像装置１Ａの状態遷移パターンは、一例であり、他の遷移パターンであってもよい。
【図面の簡単な説明】
【０１５４】
【図１】本発明の実施形態に係る撮像装置の外観構成を示す図である。
【図２】本発明の実施形態に係る撮像装置の外観構成を示す図である。
【図３】撮像装置の縦断面図である。
【図４】撮像装置の情報表示機能を示すブロック図である。
【図５】光学ファインダ視野内のＯＶＦ表示を示す図である。
【図６】背面モニタにおけるＬＶＦ表示を示す図である。
【図７】撮像装置における各ＡＦ方式とＡＦエリアパターンとの関係を示す図である。
【図８】ＡＦタイプとＡＦエリアパターンとに関する撮像装置の状態遷移図である。
【図９】ＡＦタイプとＡＦエリアパターンとに関する撮像装置の状態遷移図である。
【図１０】ＬＶＦモードにおいてＦスポットのＡＦエリアパターンが選択されていた場合に、モード切替が発生したときの動作概略を示す図である。
【図１１】光学ファインダ視野内の警告表示を示す図である。
【図１２】光学ファインダ視野内のＯＶＦ表示を示す図である。
【図１３】撮像装置の全体動作を示すフローチャートである。
【図１４】撮影前表示制御のサブルーチンを示す図である。
【図１５】撮影前表示制御のサブルーチンを示す図である。
【図１６】背面モニタによる撮影情報表示を示す図である。
【図１７】ＡＦ制御のサブルーチンを示す図である。
【図１８】合焦表示制御のサブルーチンを示す図である。
【図１９】背面モニタにおけるＬＶＦ表示を示す図である。
【図２０】光学ファインダ視野内のＯＶＦ表示を示す図である。
【符号の説明】
【０１５５】
１Ａ  撮像装置
２    カメラ本体部
３    撮影レンズユニット
１０  光学ファインダ
１１  レリーズボタン
１２  背面モニタ
８３  設定ボタン群
８４  方向選択キー
８７  表示モード選択ボタン
１０７  撮像素子
１０８  位相差検出センサ
【図１】
2008152078.tif 000003
【図２】
2008152078.tif 000004
【図３】
2008152078.tif 000005
【図４】
2008152078.tif 000006
【図５】
2008152078.tif 000007
【図６】
2008152078.tif 000008
【図７】
2008152078.tif 000009
【図８】
2008152078.tif 000010
【図９】
2008152078.tif 000011
【図１０】
2008152078.tif 000012
【図１１】
2008152078.tif 000013
【図１２】
2008152078.tif 000014
【図１３】
2008152078.tif 000015
【図１４】
2008152078.tif 000016
【図１５】
2008152078.tif 000017
【図１６】
2008152078.tif 000018
【図１７】
2008152078.tif 000019
【図１８】
2008152078.tif 000020
【図１９】
2008152078.tif 000021
【図２０】
2008152078.tif 000022